(57)【要約】【課題】基板に対する不正操作を困難なものとし、基板の交換作業の際には、基板や収納ケースを破壊せずに再利用可能な遊技機を提供する。【解決手段】基板70とベース部50とを連通する第１固定孔90に第１固定ネジ80を挿通することで、基板70がベース部50に固定される遊技機であって、第１固定孔90の内周面に、電源装置4と結線された第１孔接点92、及び、基板70の電子部品71と結線された第２孔接点93を設け、第１固定ネジ80の外周面に、導通可能に結線された第１ネジ接点85及び第２ネジ接点86を設け、第１固定ネジ80を第１固定孔90に挿通させ、所定の位置で停止させると、第１孔接点92と第２孔接点93とが第１固定ネジ80を介して導通し、第１固定ネジ80が所定の位置で停止しないときは、第１孔接点92と第２孔接点93とが導通しないように形成する。【選択図】図５
2008167921.tif 000002
【特許請求の範囲】
【請求項１】
電子部品を備え、かつ、遊技機の動作を制御するための基板と、
ベース部及びベース部に組み合わされるカバー部を有し、かつ、ベース部にカバー部を組み合わせることにより基板を収納可能な内部空間が形成される収納ケースと、
基板その他の装置に電力を供給するための電源装置と、を備え、
基板は、ベース部に対して着脱自在であって、かつ、ベース部に基板を当接させた際に基板とベース部とを連通するように設けられた第１固定孔に、着脱自在な所定のネジ（以下、「第１固定ネジ」とする）を挿通させることにより、ベース部に固定されるように形成された遊技機であって、
前記第１固定孔の内周面には、
電源装置と結線された電気的な接点である第１孔接点と、
基板に備えられた電子部品と結線された電気的な接点である第２孔接点と、が設けられ、
前記第１固定ネジの外周面には、
電気的な接点である第１ネジ接点及び第２ネジ接点が設けられ、
第１ネジ接点及び第２ネジ接点は、
これらの間が導通可能となるように結線されているとともに、
第１固定ネジを第１固定孔に挿通させ、かつ、第１固定ネジを所定の位置で停止させた際、第１ネジ接点が第１孔接点に接触すると同時に、第２ネジ接点が第２孔接点に接触するように配置され、
第１固定ネジを第１固定孔に挿通させて、基板をベース部に固定させた際、
第１固定ネジが前記所定の位置で停止したときは、第１孔接点と第２孔接点とが第１固定ネジを介して導通し、電源装置から基板に備えられた電子部品へ電力が供給される一方、
第１固定ネジが前記所定の位置で停止していないときは、第１孔接点と第２孔接点とが導通せず、電源装置から基板に備えられた電子部品へ電力が供給されないように形成されていることを特徴とする遊技機。
【請求項２】
電子部品を備え、かつ、遊技機の動作を制御するための基板と、
ベース部及びベース部に組み合わされるカバー部を有し、かつ、ベース部にカバー部を組み合わせることにより基板を収納可能な内部空間が形成される収納ケースと、
基板その他の装置に電力を供給するための電源装置と、を備え、
カバー部は、ベース部に対して着脱自在であって、かつ、ベース部にカバー部を組み合わせた際にベース部とカバー部とを連通するように設けられた第２固定孔に、着脱自在な所定のネジ（以下、「第２固定ネジ」とする）を挿通させることにより、ベース部に固定されるように形成された遊技機であって、
前記第２固定孔の内周面には、
電源装置と結線された電気的な接点である第１孔接点と、
基板に備えられた電子部品と結線された電気的な接点である第２孔接点と、が設けられ、
前記第２固定ネジの外周面には、
電気的な接点である第１ネジ接点及び第２ネジ接点が設けられ、
第１ネジ接点及び第２ネジ接点は、
これらの間が導通可能となるように結線されているとともに、
第２固定ネジを第２固定孔に挿通させ、かつ、第２固定ネジを所定の位置で停止させた際、第１ネジ接点が第１孔接点に接触すると同時に、第２ネジ接点が第２孔接点に接触するように配置され、
第２固定ネジを第２固定孔に挿通させて、カバー部をベース部に固定させた際、
第２固定ネジが前記所定の位置で停止したときは、第１孔接点と第２孔接点とが第２固定ネジを介して導通し、電源装置から基板に備えられた電子部品へ電力が供給される一方、
第２固定ネジが前記所定の位置で停止していないときは、第１孔接点と第２孔接点とが導通せず、電源装置から基板に備えられた電子部品へ電力が供給されないように形成されていることを特徴とする遊技機。
【請求項３】
第１孔接点と第２孔接点とが導通したときに、報知動作を行う報知装置を備えていることを特徴とする請求項１又は２記載の遊技機。
【請求項４】
第１孔接点及び第２孔接点の位置を示すための孔接点表示部を備え、かつ、第１ネジ接点及び第２ネジ接点の位置を示すためのネジ接点表示部を備えていることを特徴とする請求項１、２又は３記載の遊技機。
【発明の詳細な説明】
【技術分野】
【０００１】
この発明は、遊技機に関し、詳しくは、遊技機の動作を制御する基板を収納ケースに収納した遊技機に関するものである。
【背景技術】
【０００２】
従来、この種の遊技機、たとえばスロットマシンやパチンコ機には、遊技機の動作や遊技の内容を制御するための基板を備えている。
ここで、基板は、スロットマシンで使用する遊技メダルやパチンコ機で使用する遊技球の払い出しを制御したり、大当りやボーナスなどの抽選を行ったりするなど、極めて重要な機能を有するものである。したがって、遊技機に備えられた正規の基板が不正な基板に交換される等の、基板に対する不正操作を防止する必要がある。
上述の、基板に対する不正操作を防止する技術としては、たとえば、下記の特許文献１に開示されているように、ケース本体とケース蓋から構成される収納ケースに、基板を収納し、ケース本体とケース蓋とを、一方向にしか回らない一方向ネジ（ワンウェイネジ）で固定するものが知られている。そして、このように形成すると、基板を交換するためにケース蓋をケース本体から取り外す場合には、前記一方向ネジを破壊しなければならないため、再度、ケース蓋をケース本体に固定することができなくなる。そして、これにより、基板が不正に交換されたことを迅速に発見することができることとなるため、ひいては、基板の不正な交換等の、基板に対する不正操作を防止することができる。
【０００３】
また、下記の特許文献２に開示されているように、基板を所定の収納ケース内に固定し、基板を前記ケースから抜き取ろうとすると、基板と収納ケースとの固定部が破壊され、再度、基板を収納ケースに取り付けることができないようにしたものも知られている。
【特許文献１】特開平１０−２４９０２７号公報
【特許文献２】特開２００５−２２３２９９号公報
【発明の開示】
【発明が解決しようとする課題】
【０００４】
しかし、このような基板及び収納ケースでは、収納ケースを開けて基板を取り外そうとすると、上述の如く、基板や収納ケースのいずれかの箇所が破壊されるものとなっている。そのため、たとえば、遊技内容を変更するために基板を交換するような作業の際にも、基板や収納ケースが破壊されてしまうため、これらを再利用することができず、非常に不経済であるという問題が生じていた。
そこで、本発明は、上記した事情によりなされたものであり、その目的とするところは、次の点にある。
（請求項１又は２）
すなわち、請求項１又は２記載の発明は、正規な基板を不正に交換する等の、基板に対する不正操作を困難なものとするとともに、基板の交換等の作業の際には、基板や収納ケースを破壊することなく再利用することが可能な遊技機を提供することを目的とする。
【０００５】
（請求項３又は４）
すなわち、請求項３又は４記載の発明は、請求項１又は２記載の発明の目的に加え、遊技機の組み立て等を行う際に、基板や収納ケースの固定作業を容易に行うことができる遊技機を提供することを目的とする。
【課題を解決するための手段】
【０００６】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、電子部品71を備え、かつ、遊技機の動作を制御するための基板70と、ベース部50及びベース部50に組み合わされるカバー部60を有し、ベース部50にカバー部60を組み合わせることにより基板70を収納可能な内部空間が形成される収納ケース25と、基板70その他の装置に電力を供給するための電源装置4と、を備え、基板70は、ベース部50に対して着脱自在であって、かつ、ベース部50に基板70を当接させた際に基板70とベース部50とを連通するように設けられた第１固定孔90に、着脱自在な所定のネジ（以下、「第１固定ネジ80」とする）を挿通させることにより、ベース部50に固定されるように形成された遊技機であって、前記第１固定孔90の内周面には、電源装置4と結線された電気的な接点である第１孔接点92と、基板70に備えられた電子部品71と結線された電気的な接点である第２孔接点93と、が設けられ、前記第１固定ネジ80の外周面には、電気的な接点である第１ネジ接点85及び第２ネジ接点86が設けられ、第１ネジ接点85及び第２ネジ接点86は、これらの間が導通可能となるように結線されているとともに、第１固定ネジ80を第１固定孔90に挿通させ、かつ、第１固定ネジ80を所定の位置で停止させた際、第１ネジ接点85が第１孔接点92に接触すると同時に、第２ネジ接点86が第２孔接点93に接触するように配置され、第１固定ネジ80を第１固定孔90に挿通させて、基板70をベース部50に固定させた際、第１固定ネジ80が前記所定の位置で停止したときは、第１孔接点92と第２孔接点93とが第１固定ネジ80を介して導通し、電源装置4から基板70に備えられた電子部品71へ電力が供給される一方、第１固定ネジ80が前記所定の位置で停止していないときは、第１孔接点92と第２孔接点93とが導通せず、電源装置4から基板70に備えられた電子部品71へ電力が供給されないように形成されていることを特徴とする。
【０００７】
ここで、遊技機としては、遊技メダルを用いて遊技が行われるスロットマシン、遊技球を用いて遊技が行われるパチンコ機、又は、遊技球を用いてスロットマシンと同様の遊技が行われるパロット（登録商標）遊技機などが挙げられる。
基板70は、電子部品71を備え、かつ、遊技機の動作を制御するためのものである。この基板70としては、たとえば、遊技機の各装置の作動や遊技の内容を制御するためのメイン基板や、各種演出に関する制御を行うためのサブ基板などが挙げられる。また、この基板70に備えられる電子部品71としては、たとえば、ＲＯＭ、ＲＡＭ、ＣＰＵ等が挙げられる。
【０００８】
収納ケース25は、内部に前記基板70を収納するためのものである。具体的には、収納ケース25は、ベース部50、及び、このベース部50に組み合わされるカバー部60とから構成されるものである。そして、ベース部50にカバー部60を組み合わせると、このベース部50とカバー部60との間に前記基板70を収納可能な内部空間が形成される。そして、前記基板70は、前記内部空間に収納される。
また、本発明において、前記基板70はベース部50に固定されるものである。具体的には、上述の如く、ベース部50に基板70を当接させた際に基板70とベース部50とを連通するように設けられた第１固定孔90に、着脱自在な所定のネジ（第１固定ネジ80）を挿通させることにより、基板70がベース部50に固定される。
【０００９】
ここで、第１固定孔90は、上述の如く、ベース部50に基板70を当接させた際に基板70とベース部50とを連通する孔である。具体的には、第１固定孔90は、基板70の所定位置に形成された基板孔72と、ベース部50に基板70を当接させた際における、前記ベース部50の、前記基板孔72と対応する位置に形成された第１ベース孔55とから構成することができる。また、第１固定ネジ80は、第１固定孔90に着脱自在であれば、その種類や形状については、特に限定されるものではなく、たとえば、ビス、ボルト（ナットと一対で使用）等を用いることができる。
また、前記基板70はベース部50に対して着脱自在に形成されている。すなわち、第１固定ネジ80を第１固定孔90から取り外せば、基板70をベース部50から取り外すことができるとともに、再度、基板70をベース部50に取り付けることができる。換言すれば、基板70をベース部50から取り外す場合にも、特に破壊される部分等がないため、再度、基板70をベース部50に取り付けることができる。
【００１０】
電源装置4は、基板70その他の装置に電力を供給するためのものである。また、この電源装置4を、他の装置やスイッチ類とともに構成することにより、電源ユニットとすることができる。
そして、本発明は、基板70とベース部50とを連通する第１固定孔90、及び、第１固定孔90に挿通され、基板70とベース部50とを固定するための第１固定ネジ80を介して、電源装置4から基板70に備えられた電子部品71へ、電力が供給されるされるように形成されている。
具体的には、第１固定孔90の内周面に、電源装置4と結線された電気的な接点である第１孔接点92と、基板70に備えられた電子部品71と結線された電気的な接点である第２孔接点93とが設けられている。また、第１固定ネジ80の外周面に、電気的な接点である第１ネジ接点85と、この第１ネジ接点85と導通可能となるように結線された第２ネジ接点86とが設けられている。そして、第１ネジ接点85及び第２ネジ接点86は、第１固定ネジ80を第１固定孔90に挿通させ、かつ、第１固定ネジ80を所定の位置で停止させた際、第１ネジ接点85が第１孔接点92に接触すると同時に、第２ネジ接点86が第２孔接点93に接触するように配置されている。そして、第１固定ネジ80を第１固定孔90に挿通させて、基板70をベース部50に固定させた際、第１固定ネジ80が前記所定の位置で停止したときは、第１孔接点92と第２孔接点93とが第１固定ネジ80を介して導通する。
【００１１】
すなわち、第１固定孔90の内周面に設けられた第１孔接点92及び第２孔接点93、並びに、第１固定ネジ80の第１ネジ接点85及び第２ネジ接点86を介して、電源装置4から基板70に備えられた電子部品71へ、電力が供給される。
なお、ここで「結線」とは、電力や信号が導通するように接続されていることを意味するものである。
そして、第１孔接点92は、電源装置4と結線された電気的な接点である。換言すれば、電源装置4と第１孔接点92とは導通可能に結線されており、具体的には、電源装置4と第１孔接点92とは電線94やコネクタ等の電気的接続手段により結線することができる。また、電源装置4と第１孔接点92との間に、他の電気的な接点や中継基板を設け、これらを介して、間接的に電源装置4と第１孔接点92とを結線することもできる。
【００１２】
また、第２孔接点93は、基板70に備えられた電子部品71と結線された電気的な接点である。換言すれば、第２孔接点93と基板70に備えられた電子部品71とは導通可能に結線されており、具体的には、第２孔接点93と前記電子部品71とは、基板70表面における、銅箔やハンダ等により形成された配線や電線94等により結線することができる。また、上述と同様に、第２孔接点93と前記電子部品71との間に、他の電気的な接点や中継基板を設け、これらを介して、間接的に結線することもできる。
またここで、第１孔接点92及び第２孔接点93は、第１固定孔90の内周面に設けられているものであり、たとえば、第１孔接点92を第１固定孔90の基板70側（基板孔72）に設けるとともに、第２孔接点93を第１固定孔90のベース部50側（第１ベース孔55）に設けることができる。反対に、第１孔接点92を基板孔72に設けるとともに、第２孔接点93を第１ベース孔55に設けることができる。また、第１孔接点92及び第２孔接点93をいずれも基板孔72に設けることもできるし、第１孔接点92及び第２孔接点93をいずれも第１ベース孔55に設けることもできる。また、第１孔接点92及び第２孔接点93は、第１固定孔90の内周面における異なる高さ位置に設けてもよいし、いずれも同じ高さ位置に設けてもよい。なお、第１孔接点92及び第２孔接点93を異なる高さ位置に設けるときは、両者が鉛直線上に並ばないように配置するのが望ましい。
【００１３】
また、第１固定ネジ80の外周面には、電気的な接点である第１ネジ接点85及び第２ネジ接点86が設けられ、これらの間が導通可能となるように結線されている。なお、第１固定ネジ80における第１ネジ接点85及び第２ネジ接点86以外では導通しないように形成するのが望ましい。
具体的には、たとえば、第１固定ネジ80を合成樹脂等の非導電性部材で形成するとともに、第１ネジ接点85を設ける箇所と第２ネジ接点86を設ける箇所とを、第１固定ネジ80の内部を介して、電線94等の導電性部材で連結することにより形成することができる。
また、第１固定ネジ80を鉄等の導電性部材で形成する（その表面のみを導電性部材で被覆して形成してもよい）とともに、第１ネジ接点85を設ける箇所及び第２ネジ接点86を設ける箇所以外を、ゴム等の非導電性部材により被覆することで形成することもできる。
【００１４】
（作用）
本発明に係る遊技機では、基板70とベース部50とを固定するための第１固定孔90の内周面に、電源装置4と結線された電気的な接点である第１孔接点92と、基板70に備えられた電子部品71と結線された電気的な接点である第２孔接点93と、が設けられる。また、第１固定孔90に挿通される第１固定ネジ80の外周面には、第１ネジ接点85と、この第１ネジ接点85と導通可能となるように結線された第２ネジ接点86と、が設けられる。
そして、第１固定ネジ80を第１固定孔90に挿通させて、基板70をベース部50に固定させた際、第１固定ネジ80が所定の位置で停止したとき、すなわち、第１固定ネジ80の第１ネジ接点85が第１固定孔90の第１孔接点92に接触すると同時に、第１固定ネジ80の第２ネジ接点86が第１固定孔90の第２孔接点93に接触するときは、第１孔接点92と第２孔接点93とが第１固定ネジ80を介して導通し、電源装置4から電子部品71へ電力が供給される一方、第１固定ネジ80が所定の位置で停止していないとき、すなわち、第１ネジ接点85が第１孔接点92に接触しないか、または第２ネジ接点86が第２孔接点93に接触しないときは、第１孔接点92と第２孔接点93とが導通せず、電源装置4から電子部品71へ電力が供給されないものとなっている。
【００１５】
すなわち、基板70に備えられた電子部品71へ電力が供給されないと、遊技機が作動しないため、基板70をベース部50に固定する際には、第１固定ネジ80を所定の位置で止める必要があるが、この位置合わせの作業は正確さが要求されるため短時間で行うのは困難である。そのため、いわゆるゴト師らが、正規な基板70を不正な基板70に交換するような不正行為を行おうとしても、作業を急ぐあまり、位置合わせを正確に行うことができず、前記のような不正行為は失敗に終わる可能性が極めて高い。また、正確な位置合わせをするには、相応の時間がかかってしまうため、不正行為を発見することが容易となる。
したがって、本発明によれば、正規な基板を不正に交換する等の、基板に対する不正操作を困難なものとすることができ、ひいては、基板に対する不正行為を防止することが可能となる。
【００１６】
さらに、本発明に係る遊技機では、収納ケース25から基板70を取り出すべく、ベース部50から基板70を取り外す際に、基板70も収納ケース25も破壊されることはないため、たとえば、遊技内容を変更するために基板70を交換するような場合には、収納ケース25や基板70を再利用することができ、経済的に基板70の交換作業を行うことができることとなる。
（請求項２）
請求項２記載の発明は、電子部品71を備え、かつ、遊技機の動作を制御するための基板70と、ベース部50及びベース部50に組み合わされるカバー部60を有し、ベース部50にカバー部60を組み合わせることにより基板70を収納可能な内部空間が形成される収納ケース25と、基板70その他の装置に電力を供給するための電源装置4と、を備え、カバー部60は、ベース部50に対して着脱自在であって、かつ、ベース部50にカバー部60を組み合わせた際にベース部50とカバー部60とを連通するように設けられた第２固定孔91に、着脱自在な所定のネジ（以下、「第２固定ネジ81」とする）を挿通させることにより、ベース部50に固定されるように形成された遊技機であって、前記第２固定孔91の内周面には、電源装置4と結線された電気的な接点である第１孔接点92と、基板70に備えられた電子部品71と結線された電気的な接点である第２孔接点93と、が設けられ、前記第２固定ネジ81の外周面には、電気的な接点である第１ネジ接点85及び第２ネジ接点86が設けられ、第１ネジ接点85及び第２ネジ接点86は、これらの間が導通可能となるように結線されているとともに、第２固定ネジ81を第２固定孔91に挿通させ、かつ、第２固定ネジ81を所定の位置で停止させた際、第１ネジ接点85が第１孔接点92に接触すると同時に、第２ネジ接点86が第２孔接点93に接触するように配置され、第２固定ネジ81を第２固定孔91に挿通させて、カバー部60をベース部50に固定させた際、第２固定ネジ81が前記所定の位置で停止したときは、第１孔接点92と第２孔接点93とが第２固定ネジ81を介して導通し、電源装置4から基板70に備えられた電子部品71へ電力が供給される一方、第２固定ネジ81が前記所定の位置で停止していないときは、第１孔接点92と第２孔接点93とが導通せず、電源装置4から基板70に備えられた電子部品71へ電力が供給されないように形成されていることを特徴とする。
【００１７】
本発明において、前記カバー部60はベース部50に固定されるものである。具体的には、上述の如く、ベース部50にカバー部60を組み合わせた際にベース部50とカバー部60とを連通するように設けられた第２固定孔91に、着脱自在な所定のネジ（第２固定ネジ81）を挿通させることにより、カバー部60がベース部50に固定される。
ここで、第２固定孔91は、上述の如く、ベース部50にカバー部60を組み合わせた際にベース部50とカバー部60とを連通する孔である。具体的には、第２固定孔91は、ベース部50の所定位置に形成された第２ベース孔56と、ベース部50にカバー部60を組み合わせた際における、前記カバー部60の、前記第２ベース孔56と対応する位置に形成されたカバー孔64とから構成することができる。また、第２固定ネジ90は、上述の第１固定ネジ80と同様に、たとえば、ビス、ボルト（ナットと一対で使用）等を用いることができる。
【００１８】
また、前記カバー部60はベース部50に対して着脱自在に形成されている。すなわち、第２固定ネジ81を第１固定孔91から取り外せば、カバー部60をベース部50から取り外すことができるとともに、再度、カバー部60をベース部50に取り付けることができる。換言すれば、カバー部60をベース部50から取り外す場合にも、特に破壊される部分等がないため、再度、カバー部60をベース部50に取り付けることができる。
そして、本発明は、ベース部50とカバー部60とを連通する第２固定孔91、及び、第２固定孔91に挿通され、ベース部50とカバー部60とを固定するための第２固定ネジ81を介して、電源装置4から基板70に備えられた電子部品71へ、電力が供給されるように形成されている。
【００１９】
具体的には、第２固定孔91の内周面に、電源装置4と結線された電気的な接点である第１孔接点92と、基板70に備えられた電子部品71と結線された電気的な接点である第２孔接点93とが設けられている。また、第２固定ネジ81の外周面に、電気的な接点である第１ネジ接点85と、この第１ネジ接点85と導通可能となるように結線された第２ネジ接点86とが設けられている。そして、第１ネジ接点85及び第２ネジ接点86は、第２固定ネジ81を第２固定孔91に挿通させ、かつ、第２固定ネジ81を所定の位置で停止させた際、第１ネジ接点85が第１孔接点92に接触すると同時に、第２ネジ接点86が第２孔接点93に接触するように配置されている。そして、第２固定ネジ81を第２固定孔91に挿通させて、カバー部60をベース部50に固定させた際、第２固定ネジ81が前記所定の位置で停止したときは、第１孔接点92と第２孔接点93とが第２固定ネジ81を介して導通する。
【００２０】
すなわち、第２固定孔91の内周面に設けられた第１孔接点92及び第２孔接点93、並びに、第２固定ネジ81の第１ネジ接点85及び第２ネジ接点86を介して、電源装置4から基板70に備えられた電子部品71へ、電力が供給される。
（作用）
本発明に係る遊技機では、ベース部50とカバー部60とを固定するための第２固定孔91の内周面に、電源装置4と結線された電気的な接点である第１孔接点92と、基板70に備えられた電子部品71と結線された電気的な接点である第２孔接点93と、が設けられる。また、第２固定孔91に挿通される第２固定ネジ81の外周面には、第１ネジ接点85と、この第１ネジ接点85と導通可能となるように結線された第２ネジ接点86と、が設けられる。
【００２１】
そして、第２固定ネジ81を第２固定孔91に挿通させて、カバー部60をベース部50に固定させた際、第２固定ネジ81が所定の位置で停止したとき、すなわち、第２固定ネジ81の第１ネジ接点85が第２固定孔91の第１孔接点92に接触すると同時に、第２固定ネジ81の第２ネジ接点86が第２固定孔91の第２孔接点93に接触するときは、第１孔接点92と第２孔接点93とが第２固定ネジ81を介して導通し、電源装置4から電子部品71へ電力が供給される一方、第２固定ネジ81が所定の位置で停止していないとき、すなわち、第１ネジ接点85が第１孔接点92に接触しないか、または第２ネジ接点86が第２孔接点93に接触しないときは、第１孔接点92と第２孔接点93とが導通せず、電源装置4から電子部品71へ電力が供給されないものとなっている。
【００２２】
すなわち、基板70に備えられた電子部品71へ電力が供給されないと、遊技機が作動しないため、カバー部60をベース部50に固定する際には、第２固定ネジ81を所定の回転位置で止める必要があるが、この位置合わせの作業は正確さが要求されるため短時間で行うのは困難である。
また、基板70に備えられた電子部品71へ電力を供給するためには、単に、基板70をベース部50に取り付けるだけでは足りず、カバー部60をベース部50に固定しなければならないため、作業負担が大きくなるとともに、この作業自体が意外性を有するものとなる。
そのため、いわゆるゴト師らが、正規な基板70を不正な基板70に交換するような不正行為を行おうとしても、カバー部60をベース部50に固定することに気付かなかったり、不正行為を急ぐあまり、カバー部60のベース部50への固定を忘れたりする可能性が高く、前記のような不正行為は失敗に終わる可能性が極めて高い。また、基板70を交換し、さらに、第２固定ネジ81の正確な位置合わせをするには、相応の時間がかかってしまうため、不正行為を発見することが容易となる。
【００２３】
したがって、本発明によれば、正規な基板を不正に交換する等の、基板に対する不正操作を困難なものとすることができ、ひいては、基板に対する不正行為を防止することが可能となる。
さらに、本発明に係る遊技機では、収納ケース25から基板70を取り出すべく、カバー部60を取り外す際に、基板70も収納ケース25も破壊されることはないため、たとえば、遊技内容を変更するために基板70を交換するような場合には、収納ケース25や基板70を再利用することができ、経済的に基板70の交換作業を行うことができることとなる。
（請求項３）
請求項３記載の発明は、上記請求項１又は２記載の発明の特徴に加え、第１孔接点92と第２孔接点93とが導通したときに、報知動作を行う報知装置（導通報知ランプ78）を備えていることを特徴とする。
【００２４】
「第１孔接点92と第２孔接点93とが導通したとき」とは、第１固定ネジ80又は第２固定ネジ81が所定の位置に停止したとき、すなわち、第１ネジ接点85が第１孔接点92に接触すると同時に、第２ネジ接点86が第２孔接点93に接触したときを意味するものである。
また、具体的には、第１孔接点92と第２孔接点93とが導通したときに、前記報知装置に電力が供給され、これにより報知装置が報知動作を行うように形成することができる。
また、報知装置としては、たとえば、第１孔接点92と第２孔接点93とが導通したときに点灯や点滅を行うランプ（導通報知ランプ78）や、所定の音を発生する音源装置などを用いることができる。また、この報知装置の設置位置は特に限定されるものではなく、たとえば、基板70の表面や裏面、収納ケース25の所定箇所、又は、遊技機に所定箇所などに設けることができる。また、この報知装置は、脱着可能に形成し、遊技機の作動中は取り外しておくことが望ましい。
【００２５】
（作用）
本発明によれば、第１孔接点92と第２孔接点93とが導通したときに、報知装置（導通報知ランプ78）が報知動作を行う。これにより、第１固定ネジ80や第２固定ネジ81の位置決めが簡易なものとなるため、遊技機の組み立て等を行う際に、基板70や収納ケース25の固定作業を容易に行うことができ、ひいては、作業効率を向上させることができることとなる。
（請求項４）
請求項４記載の発明は、上記請求項１、２又は３記載の発明の特徴に加え、第１孔接点92及び第２孔接点93の位置を示すための孔接点表示部76を備え、かつ、第１ネジ接点85及び第２ネジ接点86の位置を示すためのネジ接点表示部77を備えていることを特徴とする。
【００２６】
孔接点表示部76は、上述の如く、第１孔接点92及び第２孔接点93の位置を示すためのものである。たとえば、第１固定ネジ80を、基板70側の開口から第１固定孔90に挿通していくように形成されている場合、第１孔接点92の位置と対応する前記開口の近傍、及び、第２孔接点93の位置と対応する前記開口の近傍にそれぞれ、孔接点表示部76を設けることができる。また、第２固定ネジ81を、カバー部60側の開口から第２固定孔91に挿通していくように形成されている場合、第１孔接点92の位置と対応する前記開口の近傍、及び、第２孔接点93の位置と対応する前記開口の近傍にそれぞれ、孔接点表示部76を設けることができる。
【００２７】
また、孔接点表示部76は、たとえば、矢印形状やドット形状のシールや突出片等により形成することができる。また、孔接点表示部76は、脱着可能に形成し、遊技機の作動中は取り外しておくことが望ましい。
また、ネジ接点表示部77は、上述の如く、第１ネジ接点85及び第２ネジ接点86の位置を示すためのものである。たとえば、ネジ接点表示部77は、第１固定ネジ80（または、第２固定ネジ81）のネジ頭における、第１ネジ接点85と対応する位置、及び、第１固定ネジ80（または、第２固定ネジ81）のネジ頭における、第２ネジ接点85と対応する位置にそれぞれ、設けることができる。
【００２８】
また、ネジ接点表示部77も、孔接点表示部76と同様に、たとえば、矢印形状やドット形状のシールや突出片等により形成することができる。また、ネジ接点表示部77も、脱着可能に形成し、遊技機の作動中は取り外しておくことが望ましい。
（作用）
本発明によれば、孔接点表示部76により、第１孔接点92及び第２孔接点93の位置が示されるとともに、ネジ接点表示部77により、第１ネジ接点85及び第２ネジ接点86の位置が示される。そのため、第１固定ネジ80や第２固定ネジ81を第１固定孔90や第２固定孔91に挿通させて固定を行う際、第１固定ネジ80や第２固定ネジ81の位置決めを容易に行うことができることとなる。
【００２９】
したがって、遊技機の組み立て等を行う際に、基板70や収納ケース25の固定作業を容易に行うことができ、ひいては、作業効率を向上させることができることとなる。
【発明の効果】
【００３０】
本発明は、以上のように構成されているので、以下に記載されるような効果を奏する。
（請求項１又は２）
すなわち、請求項１又は２記載の発明によれば、正規な基板を不正に交換する等の、基板に対する不正操作を困難なものとするとともに、基板の交換等の作業の際には、基板や収納ケースを破壊することなく再利用することが可能な遊技機を提供することができる。
（請求項３又は４）
すなわち、請求項３又は４記載の発明によれば、上記した請求項１又は２記載の発明の効果に加え、遊技機の組み立て等を行う際に、基板や収納ケースの固定作業を容易に行うことができる遊技機を提供することができる。
【発明を実施するための最良の形態】
【００３１】
（１）第１の実施の形態
以下、本発明の第１の実施の形態を図面を参照しつつ説明する。
（図面の説明）
図１から図６までは、本発明の第１の実施の形態を示すものである。
図１は、スロットマシンＳを示す外観斜視図である。図２は、スロットマシンＳを分解した状態を示す斜視図である。図３は、収納ケース25を示す外観斜視図である。図４は、収納ケース25を分解した状態を示す斜視図である。図５は、第１孔接点92と第２孔接点93とが導通している状態における第１固定ネジ80を示す正面図（Ａ）、及び、前記状態における配線の概略図（Ｂ）である。図６は、第１孔接点92と第２孔接点93とが導通していない状態における第１固定ネジ80を示す正面図（Ａ）、及び、前記状態における配線の概略図（Ｂ）である。
【００３２】
また、図７は、本発明の第１の実施の形態の変形例であって、第１孔接点92と第２孔接点93とが導通した状態における配線の概略図である。
本実施の形態におけるスロットマシンＳは、図２に示すように、大きく分けて、正面側に開口部11を有する筐体1、筐体1内部に着脱自在に設けられる交換ユニット2、及び、筐体1の開口部11を開閉可能に塞ぐ前扉3から構成されている。そして、この前扉3は、筐体1の開口上部13を開閉可能に塞ぐ上扉30と、筐体1の開口下部14を開閉可能に塞ぐ下扉40とに分割されている。
（筐体1）
筐体1は、図２に示すように、底板15及び側板16及び天板17及び裏板18からなる前面（遊技者と対峙する正面）側に開口する箱体であり、高さ方向略中央部には、二つの側板16の間に水平方向に中板12が設けられている。そして、底板15には電源装置4が固定され、ホッパーユニット5が設置されている。
【００３３】
ここで、電源装置4は、後述する基板70その他の装置（たとえば、ホッパーユニット5やリールユニット20など）に電力を供給するためのものである。この電源装置4は、特に図示していないが、ホール管理者が種々の設定を行うためのスイッチ等を有している。ホッパーユニット5は遊技メダルを貯留するとともに入賞時等には遊技メダルを払い出す払い出し装置である。電源装置4及びホッパーユニット5は、いわゆる「面替え」に際し、必ずしも交換する必要のないものであり、遊技機交換時には設置されたままにしておけるようになっているものである。
また、正面左側の側板16には、前記上扉30及び下扉40を係合させ、回転自在に支持するためのヒンジ19が、上下方向に間隔をおいて二つずつ設けられている。
【００３４】
（交換ユニット2）
交換ユニット2は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を筐体1内部に着脱自在に固定するとともに、リールユニット20及び基板ユニット24を一体的に取り扱い可能とするものである。なお、支持体21は、他の構成部品（例えば演出用の表示装置）を固定設置可能であってもかまわない。
ここで、リールユニット20は、スロットマシンＳの主たる遊技装置であって、周囲に複数の図柄を表示した３個の回転リール23と、特に図示しないが、各回転リール23を回転させるための駆動モータを有している。
【００３５】
また、前記基板ユニット24は、箱状に形成された合成樹脂製のケースである収納ケース25内に、電子部品71を備えかつスロットマシンＳの動作を制御するための基板70を収納したものであり、特に図示していないが、遊技及びスロットマシンＳの作動を制御するためのメイン基板と、各種演出を行うためのサブ基板とを備えている。これらの基板70には、電子部品71として、たとえば、ＲＯＭ、ＲＡＭ、ＣＰＵ等が備えられている。収納ケース25及び基板70については、後で詳述する。
交換ユニット2は、筐体1の中板12の上に乗せ、開口上部13内部に収納されるものである。そして、筐体1の側板16の内側に設けられたクリップなどの固定装置（図示せず）によりに固定される。
【００３６】
また、交換ユニット2と後述する上扉30とはロックされ、上扉30を閉めたまま交換ユニット2を着脱することが可能となっている。
（上扉30）
上扉30は、筐体1のヒンジ19に回転自在に軸支された板状の扉であり、図１に示すように、略中央部に前記回転リール23を正面側から見ることができる図柄表示窓31Aを有している。すなわち、上扉30は、図１に示すように、上扉30の骨格となる扉枠に、前記図柄表示窓31Aを有する上パネル31が固定されている。また、図柄表示窓31の下方には、種々の表示を行うための表示部32が設けられている。
【００３７】
上扉30を閉じると、ヒンジ19の反対側に設けられたラッチ錠により自動的にロックされ、筐体1の開口上部13が密閉される。また、下扉40を解放した状態で、特に図示しないが扉枠32の下側に設けられた解除つまみを下方に引き下げることにより、上扉30のロックが解除されるようになっている。
（下扉40）
下扉40は、筐体1のヒンジ19に回転自在に軸支された上扉30よりも幅厚の扉であり、図１に示すように、下扉40の上部は、スロットマシンＳを作動させるためのカウンター状の操作部41となっている。また、下扉40の下部には、ホッパーユニット5から払い出されたメダルを貯めておくことができる下皿46が形成されており、下皿46と前記操作部41の間には、遊技内容その他の表示をするための下パネル47が嵌め込まれている。
【００３８】
前記操作部41としては、下扉40の上面右端にはメダル投入口42及び上面左側に設けられたベットスイッチ43、正面側にはスタートスイッチ44及びストップスイッチ45及び鍵穴40Aが設けられている。なお、ベットスイッチ43とは、貯留メダルをメダル投入に代えるためのものであり、スタートスイッチ44及びストップスイッチ45は、回転リール23の回転を開始及び停止させるためのものである。また、鍵穴40Aは、前扉3を解錠するためのものである。
なおスロットマシンＳは、メイン基板により行われる当選判定の抽選結果が所定の当選役に当選し、前記ストップスイッチ45の操作により当選図柄が入賞の態様となるように回転リール23を停止させることができると入賞となり、ホッパーユニット5から遊技メダルが払い出されたり、ボーナスゲームなどの有利な遊技が開始されたりするようになっている。
【００３９】
さらに、図２に示すように、下扉40の裏面側には、前記メダル投入口42から投入されたメダルを誘導しながらメダルの正偽を判断するためのメダルセレクター48が設けられている。そして、下扉40を閉めると、ラッチ錠により自動的にロックされ、筐体１の開口下部14が密閉されるものである。また、前記鍵穴40Aに所定の鍵を差し込んで回すと、下扉40のロックが解除され、下扉40を解放することにより、上扉30のロックを解除することができるようになっている。
また、下扉40の裏面側下部の左右には、種々の音声を出力するためのスピーカ49が設けられている。
【００４０】
（収納ケース25）
収納ケース25は、図３及び図４に示すように、ベース部50と、このベース部50に組み合わされるカバー部60とを有しており、ベース部50にカバー部60を組み合わせることにより、基板70を収納可能な内部空間が形成されるものとなっている。
（ベース部50）
ベース部50は、基板70を取り付け可能な大きさを有する長方形板状の固定板51と、この固定板51の周縁から立設された側板52とを備えている。
また、ベース部50の図３における左右両側には、それぞれ外側へ突出するベース部取り付け部53が設けられている。このベース部取り付け部53には、所定のボルト（図示しておらず）が挿通される貫通孔53Aが形成されている。
【００４１】
そして、このベース部50を交換ユニット2の支持体21に当接させた状態で、前記ベース部取り付け部53の貫通孔53A、及び、前記支持体21における、当該貫通孔53Aと対応する位置に設けられた取り付け孔（図示しておらず）に、所定のボルトを挿通し螺合させることにより、このベース部50が、前記支持体21に固定される。
また、図４に示すように、ベース部50における固定板51の四隅部分には、カバー部60をベース部50に固定するための、短円筒形状のカバー部固定用ボス54が立設されている。
そして、このカバー部固定用ボス54の中空部分は、カバー部60をベース部50に固定するための第２固定孔91の一部を構成する第２ベース孔56となっている。換言すれば、前記中空部分は、ベース部50にカバー部60を組み合わせた際にベース部50とカバー部60とを連通するように設けられる第２固定孔91における、ベース部50側の孔を構成するものである。なお、この第２ベース孔56の内周面には、特に図示していないが、後述する第２固定ネジ81に設けられたネジ山が螺合可能なネジ溝が設けられている。
【００４２】
さらに、図４に示すように、ベース部50における固定板51の左部中央及び右部中央にはそれぞれ、基板70をベース部50に固定するための、短円筒形状の基板固定用ボス57が立設されている。
そして、この基板固定用ボス57の中空部分は、基板70をベース部50に固定するための第１固定孔90の一部を構成する第１ベース孔55となっている。換言すれば、前記中空部分は、ベース部50に基板70を当接させた際に基板70とベース部50とを連通するように設けられる第１固定孔90における、ベース部50側の孔を構成するものである。なお、この第１ベース孔55の内周面には、特に図示していないが、後述する第１固定ネジ80に設けられたネジ山が螺合可能なネジ溝が設けられている。
【００４３】
（カバー部60）
カバー部60は、ベース部50を覆うことが可能な大きさを有する長方形状の正面板61と、この正面板61の周縁からベース部50の側板52へ向けて突出する側板62とを備えている。
このカバー部60の図３における上下両側には、基板70からスロットマシンＳの各種装置に制御信号を送信するための所定のコネクタを接続すべく、前記コネクタの接続口である信号線接続部63が複数個設けられている。
また、図３及び図４に示すように、正面板61の四隅部分であって、ベース部50にカバー部60を組み合わせた際にベース部50の固定板51に設けられたカバー部固定用ボス54と対応する位置にはそれぞれ、固定用の孔であるカバー孔64が形成されている。なお、特に図示していないが、このカバー孔64の内周面にも、後述する第２固定ネジ81に設けられたネジ山が螺合可能なネジ溝が設けられている。
【００４４】
そして、前記ベース部50にカバー部60を組み合わせた際に、このカバー孔64、及び、前記ベース部50のカバー部固定用ボス54に設けられた第２ベース孔56により、ベース部50とカバー部60とを連通する第２固定孔91が形成されることとなる。
（基板70）
基板70は、前記ベース部50における固定板51よりも小さい長方形状の板であり、たとえば合成樹脂等の非導電性部材により形成されている。そして、この基板70は、前記ベース部50に固定されるものである。
具体的には、図４に示すように、この基板70の左部中央及び右部中央であって、ベース部50に基板70を組み合わせた際にベース部50の固定板51に設けられた基板固定用ボス57と対応する位置にはそれぞれ、固定用の孔である基板孔72が形成されている。なお、特に図示していないが、この基板孔72の内周面にも、後述する第１固定ネジ80に設けられたネジ山が螺合可能なネジ溝が設けられている。
【００４５】
そして、前記ベース部50にカバー部60を組み合わせた際に、この基板孔72、及び、前記ベース部50の基板固定用ボス57に設けられた第１ベース孔55により、基板70とベース部50とを連通する第１固定孔90が形成されることとなる。
また、基板70には、複数の電子部品71が備えられている。そして、これらの電子部品71は、電線94、銅箔、ハンダ等で電気的に接続されており、これにより制御回路が構成されている。
また、基板70に備えられた電子部品71には、上述の電源装置4から、電気的に接続された所定の経路を介して、電力が供給される。電源装置4からの電力の供給に関しては、後で詳述する。
【００４６】
また、基板70には、図４及び図５（Ｂ）に示すように、電源装置4から電子部品71に電力が供給される際に、すなわち、後述する第１孔接点92と第２孔接点93とが導通したときに、報知動作を行う報知装置である導通報知ランプ78が備えられている。
また、基板70における基板孔72の開口の近傍には、図５（Ａ）に示すように、後述する第１孔接点92及び第２孔接点93の位置を示すための孔接点表示部76が備えられている。具体的には、孔接点表示部76は、中央付近に円型の貫通孔を有する長方形状のシールにより形成されており、前記貫通孔と、基板70における基板孔72の開口とが合致した状態で、基板70に貼付されている。また、前記シールには、互いに対向する位置に矢印形状のマークが印字されており、シールを基板70に貼付すると、前記矢印形状のマークが、後述する第１孔接点92及び第２孔接点93の位置を示すこととなる。また、このシールは基板70に対して脱着自在なものとなっている。
【００４７】
（収納ケース25の組み立て）
収納ケース25を組み立てるためには、まず、収納ケース25を構成するベース部50を、交換ユニット2の支持体21に固定する。具体的には、上述の如く、ベース部50を交換ユニット2の支持体21に当接させた状態で、取り付け孔（図示しておらず）に所定のボルトを挿通し螺合させることにより固定する。
そして、次に、基板70をベース部50に固定する。具体的には、ベース部50に基板70を当接させると、ベース部50の基板固定用ボス57に設けられた第１ベース孔55、及び、基板70に形成された基板孔72が連通することにより、第１固定孔90が形成される。そして、この第１固定孔90に、基板70及びベース部50を固定するためのネジである第１固定ネジ80を挿通させることにより、基板70をベース部50に固定することができる。なお、特に図示していないが、第１固定ネジ80の側面にはネジ山が設けられている。そして、このネジ山が、第１固定孔90（第１ベース孔55、及び、基板孔72）の内周面に設けられたネジ溝に螺合しながら、第１固定ネジ80は第１固定孔90に挿通されるものとなっている。
【００４８】
そして、次に、カバー部60をベース部50に固定する。具体的には、ベース部50にカバー部60を組み合わせると、ベース部50のカバー部固定用ボス54に設けられた第２ベース孔56、及び、カバー部60に形成されたカバー孔64が連通することにより、第２固定孔91が形成される。そして、この第２固定孔91に、カバー部60及びベース部50を固定するためのネジである第２固定ネジ81を挿通させることにより、カバー部60をベース部50に固定することができる。なお、特に図示していないが、第２固定ネジ81の側面にはネジ山が設けられている。そして、このネジ山が、第２固定孔91（第２ベース孔56、及び、カバー孔64）の内周面に設けられたネジ溝に螺合しながら、第２固定ネジ81は第２固定孔91に挿通されるものとなっている。
【００４９】
これにより、ベース部50にカバー部60を組み合わせることにより形成される内部空間に基板70を収納した状態で、収納ケース25が組み立てられるとともに、この収納ケース25がスロットマシンＳの内部に取り付けられることとなる。
ここで、第１固定ネジ80や第２固定ネジ81は、上述の如く、第１固定孔90や第２固定孔91に螺合して留められているだけなので、特に破壊を伴うことなく、ネジを固定孔から外すことができる。すなわち、第２固定ネジ81及び第２固定孔91のいずれも破壊されることなく、第２固定ネジ81を外すことができ、かつ、カバー部60をベース部50から取り外すことができる。また、第１固定ネジ80及び第１固定孔90のいずれも破壊されることなく、第１固定ネジ80を外すことができ、かつ、基板70をベース部50から取り外すことができる。換言すれば、カバー部60及び基板70は、特に破壊等されることなく、ベース部50から脱着自在となっている。
【００５０】
（電源装置4からの電力の供給）
上述の如く、基板70に備えられた電子部品71には、スロットマシンＳの筐体1内部に設けられた電源装置4から、電気的に接続された所定の経路を介して、電力が供給される。
具体的には、基板70に備えられた電子部品71には、基板70とベース部60とを連通する上述の第１固定孔90、及び、この第１固定孔90に挿通される第１固定ネジ80を介して、電源装置4から電力が供給される。
（第１固定孔90）
第１固定孔90は、上述の如く、ベース部50に基板70を当接させた際に基板70とベース部50とを連通するように設けられた孔であり、基板70に形成された基板孔72と、ベース部50の基板固定用ボス57に設けられた第１ベース孔55とから構成されるものである。すなわち、この第１固定孔90は、基板70に形成された基板孔72と対応する位置、すなわち、基板70の中央左部及び中央右部に、それぞれ１つずつ形成されるものである。
【００５１】
そして、基板70の中央右部に位置する第１固定孔90の内周面には、図５（Ｂ）に示すように、ハンダや電極板等の導電性部材により形成された電気的な接点である第１孔接点92及び第２孔接点93が、表面に露呈するように設けられている。具体的には、前記第１孔接点92及び第２孔接点93は、図５（Ｂ）に示すように、第１固定孔90における基板孔72の内周面の、同じ高さ位置であって、かつ、互いに対向する位置に形成されている。
また、前記第１孔接点92は、電源装置4と結線されている。
具体的には、図５（Ｂ）に示すように、第１孔接点92と電源装置4とが、基板70の内部及びベース部50の内部を介して、電線94等の接続手段により結線されている。
【００５２】
より具体的には、第１孔接点92から、基板70及びベース部50の接触部分に設けられた電気的接点に至るまで、基板70の内部を介して電線94が配設されている。また、前記電気的接点から、ベース部50における交換ユニット2の支持体21側の面に至るまで、ベース部50の内部を介して電線94が配設されている。そして、ベース部50における交換ユニット2の支持体21側の面から伸びる電線94は、電源装置4まで至り、かつ、電源装置4と接続されている。なお、ここで、ベース部50に基板70を当接させると、前記電気的接点を介して、基板70内部を通る電線94及びベース部50内部を通る電線94が接続されることとなり、第１孔接点92と電源装置4とが結線されることとなる。
【００５３】
また、前記第２孔接点93は、基板70に備えられた電子部品71と結線されている。
具体的には、図５（Ｂ）に示すように、第２孔接点93と基板70に備えられた電子部品71とが、基板70の内部を介して、電線94等の接続手段により結線されている。
より具体的には、第２孔接点93から、基板70に備えられた電子部品71に至るまで、基板70の内部を介して電線94が配設されている。そして、この電線94により、第２孔接点93と基板70に備えられた電子部品71とが結線されることとなる。
なお、図５（Ｂ）に示すように、基板70に備えられた導通通知ランプ78も、前記第２孔接点93と、電線94により結線されている。
【００５４】
（第１固定ネジ80）
第１固定ネジ80は、上述の如く、前記第１固定孔90に挿通させて、ベース部50に基板70を固定するための着脱自在なネジである。
そして、上述の基板70の中央右部に位置する第１固定孔90に挿通される第１固定ネジ80の外周面には、図５（Ｂ）に示すように、電気的な接点である第１ネジ接点85と、この第１ネジ接点85と導通可能となるように結線されている電気的な接点である第２ネジ接点86とが設けられている。
また、この第１ネジ接点85及び第２ネジ接点86は、第１固定ネジ80を第１固定孔90に挿通させ、かつ、第１固定ネジ80を所定の位置で停止させた際、第１ネジ接点85が、第１固定孔90の内周面に形成された第１孔接点92に接触すると同時に、第２ネジ接点86が、第１固定孔90の内周面に形成された第２孔接点93に接触することができるような位置に配置されている。
【００５５】
具体的には、この第１固定ネジ80は、非導電性部材である合成樹脂により形成されている。また、第１固定ネジ80の外周面における、第１ネジ接点85を設ける箇所、及び、第２ネジ接点86を設ける箇所にはそれぞれ、ハンダや電極板等の導電性部材により、電気的な接点である第１ネジ接点85及び第２ネジ接点86が形成されている。また、第１ネジ接点85及び第２ネジ接点86は、第１固定ネジ80の内部を介して、導電性部材である電線94により接続されている。これにより、この第１固定ネジ80は、第１ネジ接点85と第２ネジ接点86とが導通するものとなっている。なお、この第１固定ネジ80は、上述の如く、非導電性部材である合成樹脂により形成されているため、この第１固定ネジ80の外周面においては、第１ネジ接点85及び第２ネジ接点86以外では、導通しないものとなっている。
【００５６】
また、前記第１固定ネジ80のネジ頭部分には、図５（Ａ）に示すように、第１ネジ接点85及び第２ネジ接点86の位置を示すためのネジ接点表示部77が備えられている。具体的には、このネジ接点表示部77は、矢印形状のシールにより形成されているものであって、前記ネジ頭部分に貼付されている。そして、貼付された矢印の先端がそれぞれ、第１孔接点92及び第２孔接点93の位置を示すこととなる。また、このシールは、第１固定ネジ80のネジ頭部分に対して脱着自在なものとなっている。
（第１孔接点92及び第２孔接点93の導通）
上述の如く、第１固定孔90の内周面に形成された第１孔接点92は、電源装置4と結線されている。また、第１固定孔90の内周面に形成された第２孔接点93は、基板70に備えられた電子部品71と結線されている。したがって、第１孔接点92と第２孔接点93とが電気的に接続されれば、すなわち、第１孔接点92と第２孔接点93とが導通すれば、電源装置4から基板70に備えられた電子部品71に至るまで電気的に接続されることとなるため、電源装置4から基板70に備えられた電子部品71へ電力が供給されることとなる。
【００５７】
ここで、上述の如く、第１固定ネジ80における第１ネジ接点85及び第２ネジ接点86は、導通可能となるように結線されるものとなっている。
したがって、図５に示すように、第１固定ネジ80を第１固定孔90に挿通させて、基板70をベース部50に固定させた際、第１固定ネジ80が所定の位置で停止すると、すなわち、第１固定ネジ80の第１ネジ接点85が第１固定孔90の第１孔接点92に接触すると同時に、第１固定ネジ80の第２ネジ接点86が第１固定孔90の第２孔接点93に接触した状態で、第１固定ネジ80が停止すると、この第１固定ネジ80を介して、第１孔接点92と第２孔接点93とが導通することとなる。これにより、電源装置4から基板70に備えられた電子部品71へ電力が供給されることとなる。
【００５８】
これに対して、図６に示すように、第１固定ネジ80を第１固定孔90に挿通させて、基板70をベース部50に固定させた際、第１固定ネジ80が所定の位置で停止していないとき、すなわち、第１ネジ接点85が第１孔接点92に接触しておらず、また、第２ネジ接点86が第２孔接点93に接触していない状態で、第１固定ネジ80が停止すると、第１孔接点92と第２孔接点93とは導通しない。この場合、電源装置4から基板70に備えられた電子部品71へ電力は供給されないこととなる。
すなわち、本実施の形態におけるスロットマシンＳでは、基板70に備えられた電子部品71へ電力を供給するためには、第１固定ネジ80を第１固定孔90に挿通させて、基板70をベース部50に固定させた際、この第１固定ネジ80を所定の位置で停止させなければならない。すなわち、第１ネジ接点85が第１孔接点92に接触し、かつ、第２ネジ接点86が第２孔接点93に接触した位置で、第１固定ネジ80を停止させなければならない。
【００５９】
（第１固定ネジ80の位置決め）
上述の如く、基板70における基板孔72の開口近傍には、図５（Ａ）及び図６（Ａ）に示すように、第１孔接点92及び第２孔接点93の位置を示すための孔接点表示部76が備えられている。また、前記第１固定ネジ80のネジ頭部分には、図５（Ａ）及び図６（Ａ）に示すように、第１ネジ接点85及び第２ネジ接点86の位置を示すためのネジ接点表示部77が備えられている。
そして、図５（Ａ）及び図５（Ｂ）に示すように、孔接点表示部76の矢印の先端と、ネジ接点表示部77の矢印の先端とが一致する位置で、第１固定ネジ80が停止した場合は、第１孔接点92及び第２孔接点93が導通することとなる。一方、図６（Ａ）及び図６（Ｂ）に示すように、孔接点表示部76の矢印の先端と、ネジ接点表示部77の矢印の先端とが一致しない位置で、第１固定ネジ80が停止した場合は、第１孔接点92及び第２孔接点93が導通しないこととなる。
【００６０】
したがって、第１固定ネジ80を第１固定孔90に挿通した際には、孔接点表示部76の矢印の先端と、ネジ接点表示部77の矢印の先端とが一致するように、第１固定ネジ80を停止させることで、容易に第１固定ネジ80の位置決めができる。
また、上述の如く、基板70には、図４及び図５（Ｂ）に示すように、第１孔接点92と第２孔接点93とが導通したときに、報知動作を行う報知装置である導通報知ランプ78が備えられている。この導通報知ランプ78は、第１孔接点92と第２孔接点93とが導通しないときには消灯している。一方、第１孔接点92と第２孔接点93とが導通し、導通報知ランプ78にも電力が供給されると点灯する。
【００６１】
したがって、この導通報知ランプ78に基づいて、第１固定ネジ80を停止させることで、容易に第１固定ネジ80の位置決めができる。
（総括）
本実施の形態に係るスロットマシンＳでは、基板70とベース部50とを固定するための第１固定孔90を構成する基板孔72の内周面に、電源装置4と結線された第１孔接点92と、基板70に備えられた電子部品71と結線された第２孔接点93と、が設けられる。また、第１固定孔90に挿通される第１固定ネジ80の外周面には、電気的な接点である第１ネジ接点85と、この第１ネジ接点85と導通可能となるように結線されている第２ネジ接点86と、が設けられる。
【００６２】
そして、第１固定ネジ80を第１固定孔90に挿通させて、基板70をベース部50に固定させた際、第１固定ネジ80が所定の位置で停止したとき、すなわち、第１ネジ接点85が第１孔接点92に接触すると同時に、第２ネジ接点86が第２孔接点93に接触するときは、第１孔接点92と第２孔接点93とが第１固定ネジ80を介して導通し、電源装置4から電子部品71へ電力が供給される一方、第１固定ネジ80が所定の位置で停止していないとき、すなわち、第１ネジ接点85が第１孔接点92に接触しないか、または第２ネジ接点86が第２孔接点93に接触しないときは、第１孔接点92と第２孔接点93とが導通せず、電源装置4から電子部品71へ電力が供給されないものとなっている。
【００６３】
すなわち、基板70に備えられた電子部品71へ電力が供給されないと、スロットマシンＳが作動しないため、基板70をベース部50に固定する際には、第１固定ネジ80を上述のような位置で停止させる必要があるが、この位置合わせの作業は正確さが要求されるため短時間で行うのは困難である。そのため、いわゆるゴト師らが、正規な基板70を不正な基板70に交換するような不正行為を行おうとしても、作業を急ぐあまり、位置合わせを正確に行うことができず、前記のような不正行為は失敗に終わる可能性が極めて高い。また、正確な位置合わせをするには、相応の時間がかかってしまうため、不正行為を発見することが容易となる。
【００６４】
したがって、本実施の形態に係るスロットマシンＳでは、正規な基板を不正に交換する等の、基板に対する不正操作を困難なものとすることができ、ひいては、基板に対する不正行為を防止することが可能となる。
さらに、本実施の形態に係るスロットマシンＳでは、収納ケース25から基板70を取り出すべく、ベース部50から基板70を取り外す際に、基板70も収納ケース25も破壊されることはないため、たとえば、遊技内容を変更するために基板70を交換するような場合には、収納ケース25や基板70を再利用することができ、経済的に基板70の交換作業を行うことができることとなる。
【００６５】
また、本実施の形態に係るスロットマシンＳでは、第１孔接点92と第２孔接点93とが導通しないときには、導通報知ランプ78が消灯しているが、第１孔接点92と第２孔接点93とが導通すると、前記導通報知ランプ78が点灯する。したがって、第１固定ネジ80の位置決めが簡易なものとなるため、スロットマシンＳの組み立て等を行う際に、基板70や収納ケース25の固定作業を容易に行うことができ、ひいては、作業効率を向上させることができることとなる。
また、本実施の形態に係るスロットマシンＳでは、孔接点表示部76により、第１孔接点92及び第２孔接点93の位置が示されるとともに、ネジ接点表示部77により、第１ネジ接点85及び第２ネジ接点86の位置が示される。そのため、第１固定ネジ80の位置決めを容易に行うことができることとなる。したがって、スロットマシンＳの組み立て等を行う際に、基板70や収納ケース25の固定作業を容易に行うことができ、ひいては、作業効率を向上させることができることとなる。
【００６６】
なお、前記導通報知ランプ78、並びに、孔接点表示部76及びネジ接点表示部77は、脱着自在に形成されている。したがって、これらは、スロットマシンＳの組み立て等の作業時のみ取り付け、それ以外のときは取り外しておくことで、前記作業は容易に行えるようにしつつ、ゴト師等による基板に対する不正操作を有効に防止することができることとなる。
また、上記実施の形態は、基板70及び収納ケース25を有していれば、スロットマシン以外の遊技機にも応用できる。たとえば、遊技媒体として遊技球を用いてスロットマシンと同様の遊技を行わせるパロット（登録商標）遊技機や、遊技球を用いて遊技が行われるパチンコ機に使用してもよいものである。
【００６７】
（変形例）
上記実施の形態では、第１孔接点92及び第２孔接点93はいずれも、第１固定孔90を構成する基板孔72に設けられていたが、これらの設置位置は第１固定孔90の内周面であれば特に限定されるものではなく、たとえば、図７に示すように、第１孔接点92を第１ベース孔55に設け、第２孔接点93を基板孔72に設けてもよい。また、第１孔接点92及び第２孔接点93をいずれも、第１ベース孔55に設けてもよい。また、上記実施の形態では、第１孔接点92及び第２孔接点93は、第１固定孔90の内周面において互いに対向する位置に設けられていたが、この円周方向の位置についても特に限定されるものではなく、たとえば、特に図示していないが、第１孔接点92から円周方向に９０度回転した位置等に第２孔接点93を設けてもよい。なお、これらの場合には、第１固定ネジ80の第１ネジ接点85及び第２ネジ接点86は、第１孔接点92及び第２孔接点93の位置に対応させて設ける必要がある点は言うまでもない。
【００６８】
そして、このような変形例においても、上記実施の形態と同様の作用、効果を奏することとなる。
また、上記実施の形態では、電源装置4と基板70に備えられた電子部品71との間における電気的な接点として、第１孔接点92及び第２孔接点93が設けられていたが、他の電気的な接点を設けることもできる。たとえば、特に図示していないが、第１固定孔90の内奥部であって、第１固定ネジ80を第１固定孔90に挿通した際に第１固定ネジ80の先端が接触する位置に、第３孔接点を設ける。また、特に図示していないが、第１固定ネジ80の先端に、前記第３孔接点と接触する第３ネジ接点を設ける。そして、第１固定ネジ80を第１固定孔90に挿通させて、基板70をベース部50に固定させた際、第１ネジ接点85が第１孔接点92に接触すると同時に、第２ネジ接点86が第２孔接点93に接触し、かつ、第３ネジ接点（図示しておらず）が第３孔接点（図示しておらず）に接触したときにのみ、電源装置4から基板70に備えられた電子部品71へ電力が供給されるように形成することもできる。
【００６９】
そして、このような変形例においても、上記実施の形態と同様の作用、効果を奏することとなる。さらに、電源装置4から電子部品71へ電力が供給されるための条件が増えることとなるため、ゴト師等による基板に対する不正操作をより困難なものとすることができる。
また、上記実施の形態では、第１固定ネジ80は、非導電性部材である合成樹脂により形成し、このネジの内部に電線94を通して、第１ネジ接点85と第２ネジ接点86とを電気的に接続しているが、この第１固定ネジ80の構造については特に限定されるものではない。たとえば、第１固定ネジ80を鉄等の導電性部材で形成し（第１固定ネジ80の表面のみを導電性部材で被覆してもよい）、第１ネジ接点85及び第２ネジ接点86以外の部分を、ゴム等の非導電性部材により被覆することで形成することもできる。
【００７０】
そして、このような変形例においても、上記実施の形態と同様の作用、効果を奏することとなる。さらに、非導電性部材により被覆する部分を変えるだけで、第１ネジ接点85及び第２ネジ接点86の設置位置を変更できるため、容易な設計変更が可能となる。
（２）第２の実施の形態
以下、本発明の第２の実施の形態を図面を参照しつつ説明する。
（図面の説明）
図８は、本発明の第２の実施の形態を示すものであって、第１孔接点92と第２孔接点93とが導通している状態における配線の概略図である。
【００７１】
また、図９及び図１０は、本発明の第２の実施の形態の変形例であって、第１孔接点92と第２孔接点93とが導通した状態における配線の概略図である。
（本実施の形態の概略）
第１の実施の形態では、基板70とベース部50とを連通する第１固定孔90に、電源装置4と電子部品71とを導通するための電気的な接点である第１孔接点92及び第２孔接点93が設けられている。これに対して、第２の実施の形態では、ベース部50とカバー部60とを連通する第２固定孔91に、第１孔接点92及び第２孔接点93が設けられる。また、これに伴って、第１ネジ接点85及び第２ネジ接点86も、前記第２固定孔91に挿通してベース部50とカバー部60とを固定するための第２固定ネジ81に設けられる。
【００７２】
第２の実施の形態は、主として上記の点が第１の実施の形態と相違し、他については第１の実施の形態と同様である。以下、相違点を中心に第２の実施の形態を説明する。
（電源装置4からの電力の供給）
第１の実施の形態と同様に、、基板70に備えられた電子部品71には、スロットマシンＳの筐体1内部に設けられた電源装置4から、電気的に接続された所定の経路を介して、電力が供給される。
具体的には、基板70に備えられた電子部品71には、ベース部50とカバー部60とを連通する上述の第２固定孔91、及び、この第２固定孔91に挿通される第１固定ネジ81を介して、電源装置4から電力が供給される。
【００７３】
（第２固定孔91）
第２固定孔91は、上述の如く、ベース部50にカバー部60を組み合わせた際にベース部50とカバー部60とを連通するように設けられた孔であり、ベース部50のカバー部固定用ボス54に設けられた第２ベース孔56と、カバー部60に形成されたカバー孔64とから構成されるものである。すなわち、この第２固定孔91は、カバー部60に形成されたカバー孔64と対応する位置、すなわち、カバー部60の四隅部分に、それぞれ１つずつ形成されるものである。
そして、カバー部60の右下部分に位置する第２固定孔91の内周面には、図８に示すように、ハンダや電極板等の導電性部材により形成された電気的な接点である第１孔接点92及び第２孔接点93が、表面に露呈するように設けられている。具体的には、前記第１孔接点92及び第２孔接点93は、図８に示すように、第２固定孔91における第２ベース孔56の内周面の、同じ高さ位置であって、かつ、互いに対向する位置に形成されている。
【００７４】
また、前記第１孔接点92は、第１の実施の形態と同様に、電源装置4と結線されている。具体的には、図８に示すように、第１孔接点92から電源装置4に至るまで、ベース部50の内部を介して電線94が配設されており、この電線94により、第１孔接点92と電源装置4とが導通可能に結線されることとなる。
また、第２孔接点92は、第１の実施の形態と同様に、基板70に備えられた電子部品71と結線されている。具体的には、図８に示すように、第２孔接点93から、収納ケース25の内部空間に設けられ電気的な接続の中継を行うための第１中継基板73に至るまで、ベース部50の内部を介して電線94が配設され、この電線94により、第２孔接点93と第１中継基板73とが電気的に接続される。そして、この第１中継基板73は、基板70に取り付けられ電気的な接続の中継を行うための第２中継基板74と、所定の接続コネクタ75により接続されている。そして、この第２中継基板73から、基板70に備えられた電子部品71に至るまで、基板70の内部を介して電線94が配設され、この電線94により、第２中継基板74と電子部品71とが電気的に接続される。なお、第２中継基板73と電子部品71との接続は、基板70の内部に配設した電線94により行うのではなく、基板70の表面に銅箔等を付して導通路を形成し、この導通路により接続してもよい。
【００７５】
なお、第１の実施の形態と同様に、基板70に備えられた導通通知ランプ78も、前記第２中継基板73と、電線94により結線されている（図８参照）。
（第２固定ネジ81）
第２固定ネジ81は、上述の如く、前記第２固定孔91に挿通させて、ベース部50にカバー部60を固定するためのネジである。
そして、上述のカバー部60の右下部分に位置する第２固定孔91に挿通される第２固定ネジ81の外周面には、図８に示すように、電気的な接点である第１ネジ接点85と、この第１ネジ接点85と導通可能となるように結線されている電気的な接点である第２ネジ接点86とが設けられている。
【００７６】
また、この第１ネジ接点85及び第２ネジ接点86は、第２固定ネジ81を第２固定孔91に挿通させ、かつ、第２固定ネジ81を所定の位置で停止させた際、第１ネジ接点85が、第２固定孔91の内周面に形成された第１孔接点92に接触すると同時に、第２ネジ接点86が、第２固定孔91の内周面に形成された第２孔接点93に接触することができるような位置に配置されている。
具体的には、この第２固定ネジ81は、第１の実施の形態における第１固定ネジ80と同様の構造となっており、ハンダや電極板等の導電性部材により形成された第１ネジ接点85及び第２ネジ接点86が、第２固定ネジ81の内部を介して、電線94により接続されている。そして、これにより、この第２固定ネジ81は、第１ネジ接点85と第２ネジ接点86とが導通するものとなっている。
【００７７】
（第１孔接点92及び第２孔接点93の導通）
本実施の形態における第１孔接点92及び第２孔接点93も、第１の実施の形態と同様に、導通することとなる。
具体的には、図８に示すように、第２固定ネジ81を第２固定孔91に挿通させて、カバー部60をベース部50に固定させた際、第２固定ネジ81が所定の位置で停止すると、すなわち、第２固定ネジ81の第１ネジ接点85が第２固定孔91の第１孔接点92に接触すると同時に、第２固定ネジ81の第２ネジ接点86が第２固定孔91の第２孔接点93に接触した状態で、第２固定ネジ81が停止すると、この第２固定ネジ81を介して、第１孔接点92と第２孔接点93とが導通することとなる。これにより、電源装置4から基板70に備えられた電子部品71へ電力が供給されることとなる。
【００７８】
これに対して、第２固定ネジ81を第２固定孔91に挿通させて、カバー部60をベース部50に固定させた際、第２固定ネジ81が所定の位置で停止していないとき、すなわち、第１ネジ接点85が第１孔接点92に接触しておらず、また、第２ネジ接点86が第２孔接点93に接触していない状態で、第２固定ネジ81が停止すると、第１孔接点92と第２孔接点93とは導通しない。この場合、電源装置4から基板70に備えられた電子部品71へ電力は供給されないこととなる。
したがって、基板70に備えられた電子部品71へ電力を供給するためには、第２固定ネジ81を第２固定孔91に挿通させて、カバー部60をベース部50に固定させた際、第２固定ネジ81を所定の位置で停止させなければならない。すなわち、第１ネジ接点85が第１孔接点92に接触し、かつ、第２ネジ接点86が第２孔接点93に接触した位置で、第２固定ネジ81を停止させなければならない。
【００７９】
（総括）
本実施の形態に係るスロットマシンＳでは、カバー部60とベース部50とを固定するための第２固定孔91を構成する第２ベース孔56の内周面に、電源装置4と結線された第１孔接点92と、基板70に備えられた電子部品71と結線された第２孔接点93と、が設けられる。また、第２固定孔91に挿通される第２固定ネジ81の外周面には、電気的な接点である第１ネジ接点85と、この第１ネジ接点85と導通可能となるように結線された第２ネジ接点86と、が設けられる。
そして、第２固定ネジ81を第２固定孔91に挿通させて、カバー部60をベース部50に固定させた際、第２固定ネジ81が所定の位置で停止したとき、すなわち、第１ネジ接点85が第１孔接点92に接触すると同時に、第２ネジ接点86が第２孔接点93に接触するときは、第１孔接点92と第２孔接点93とが第２固定ネジ81を介して導通し、電源装置4から電子部品71へ電力が供給される一方、第２固定ネジ81が所定の位置で停止しないとき、すなわち、第１ネジ接点85が第１孔接点92に接触しないか、または第２ネジ接点86が第２孔接点93に接触しないときは、第１孔接点92と第２孔接点93とが導通せず、電源装置4から電子部品71へ電力が供給されないものとなっている。
【００８０】
すなわち、基板70に備えられた電子部品71へ電力が供給されないと、スロットマシンＳが作動しないため、カバー部60をベース部50に固定する際には、第２固定ネジ81を上述のような位置で停止させる必要があるが、この位置合わせの作業は正確さが要求されるため短時間で行うのは困難である。
また、基板70に備えられた電子部品71へ電力を供給するためには、単に、基板70をベース部50に取り付けるだけでは足りず、カバー部60をベース部50に固定しなければならないため、作業負担が大きくなるとともに、この作業自体が意外性を有するものとなる。
そのため、いわゆるゴト師らが、正規な基板70を不正な基板70に交換するような不正行為を行おうとしても、カバー部60をベース部50に固定することに気付かなかったり、不正行為を急ぐあまり、カバー部60のベース部50への固定を忘れたりする可能性が高く、前記のような不正行為は失敗に終わる可能性が極めて高い。また、基板70を交換した上で、カバー部60をベース部50に取り付け、さらに、第２固定ネジ81の正確な位置合わせをするには、相応の時間がかかってしまうため、不正行為を発見することが容易となる。
【００８１】
したがって、本実施の形態に係るスロットマシンＳでは、、正規な基板を不正に交換する等の、基板に対する不正操作を困難なものとすることができ、ひいては、基板に対する不正行為を防止することが可能となる。
さらに、本発明に係る遊技機では、収納ケース25から基板70を取り出すべく、カバー部60を取り外す際に、基板70も収納ケース25も破壊されることはないため、たとえば、遊技内容を変更するために基板70を交換するような場合には、収納ケース25や基板70を再利用することができ、経済的に基板70の交換作業を行うことができることとなる。
（変形例）
上記実施の形態では、第１孔接点92及び第２孔接点93はいずれも、第２固定孔91を構成する第２ベース孔56に設けられていたが、これらの設置位置は第２固定孔91の内周面であれば特に限定されるものではなく、たとえば、図８に示すように、第１孔接点92及び第２孔接点93をいずれも、カバー孔64に設けてもよい。また、図９に示すように、第１孔接点92を第２ベース孔56に設け、第２孔接点93をカバー孔64に設けてもよい。なお、これらの場合には、第２固定ネジ81の第１ネジ接点85及び第２ネジ接点86は、第１孔接点92及び第２孔接点93の位置に対応させて設ける必要がある点は言うまでもない。
【００８２】
そして、このような変形例においても、上記実施の形態と同様の作用、効果を奏することとなる。
【図面の簡単な説明】
【００８３】
【図１】本発明の第１の実施の形態であって、スロットマシンを示す外観斜視図である。
【図２】本発明の第１の実施の形態であって、スロットマシンを分解した状態を示す斜視図である。
【図３】本発明の第１の実施の形態であって、収納ケースを示す外観斜視図である。
【図４】本発明の第１の実施の形態であって、収納ケースを分解した状態を示す斜視図である。
【図５】本発明の第１の実施の形態であって、第１孔接点と第２孔接点とが導通している状態における第１固定ネジを示す正面図（Ａ）、及び、前記状態における配線の概略図（Ｂ）である。
【図６】本発明の第１の実施の形態であって、第１孔接点と第２孔接点とが導通していない状態における第１固定ネジを示す正面図（Ａ）、及び、前記状態における配線の概略図（Ｂ）である。
【図７】本発明の第１の実施の形態の変形例であって、第１孔接点と第２孔接点とが導通した状態における配線の概略図である。
【図８】本発明の第２の実施の形態であって、第１孔接点と第２孔接点とが導通している状態における配線の概略図である。
【図９】本発明の第２の実施の形態の変形例であって、第１孔接点と第２孔接点とが導通した状態における配線の概略図である。
【図１０】本発明の第２の実施の形態の他の変形例であって、第１孔接点と第２孔接点とが導通した状態における配線の概略図である。
【符号の説明】
【００８４】
Ｓ  スロットマシン（遊技機）
1  筐体                   2  交換ユニット
3  前扉                   4  電源装置
5  ホッパーユニット
11  開口部                12  中板
13  開口上部              14  開口下部
15  底板                  16  側板
17  天板                  18  裏板
19  ヒンジ                20  リールユニット
21  支持体                23  回転リール
24  基板ユニット          25  基板ケース
30  上扉                  31  上パネル
31A 図柄表示窓            32  表示部
40  下扉                  40A 鍵穴
41  操作部                42  メダル投入口
43  ベットスイッチ        44  スタートスイッチ
45  ストップスイッチ      46  メダル皿
47  下パネル              48  メダルセレクター
49  スピーカー
50  ベース部              51  固定板
52  側板                  53  ベース部取り付け部
53A 貫通孔                54  カバー部固定用ボス
55  第１ベース孔          56  第２ベース孔
57  基板固定用ボス
60  カバー部              61  正面板
62  側板                  63  信号線接続部
64  カバー孔
70  基板                  71  電子部品
72  基板孔                73  第１中継基板
74  第２中継基板          75  接続コネクター
76  孔接点表示部          77  ネジ接点表示部
77  導通報知ランプ
80  第１固定ネジ          81  第２固定ネジ
85  第１ネジ接点          86  第２ネジ接点
90  第１固定孔            91  第２固定孔
92  第１孔接点            93  第２孔接点
94  電線
【図１】
2008167921.tif 000003
【図２】
2008167921.tif 000004
【図３】
2008167921.tif 000005
【図４】
2008167921.tif 000006
【図５】
2008167921.tif 000007
【図６】
2008167921.tif 000008
【図７】
2008167921.tif 000009
【図８】
2008167921.tif 000010
【図９】
2008167921.tif 000011
【図１０】
2008167921.tif 000012